(57)【特許請求の範囲】
【請求項１】
建物の屋外に面した布基礎とベタ基礎との境界を覆うように、止水材と該止水材に貼付された両面テープとから構成された止水シートが、前記両面テープの粘着面を用いて貼付されており、
前記止水材は、底面部と該底面部の一端辺から上方に延びる立ち上がり部とを有し、正面視が横長の矩形及び側面視がＬ字型に成形された軟質性の合成樹脂からなる板状体であることを特徴とする建物の基礎構造。
【請求項２】
前記両面テープは、前記底面部における前記一端辺及び他端辺よりも内側領域に貼付されていると共に、前記立ち上がり部における前記一端辺及び他端辺よりも内側領域に貼付されていることを特徴とする請求項１に記載の建物の基礎構造。
【請求項３】
前記建物の外周に面する全ての前記境界の屋内側を覆うように、前記止水材が貼付されていることを特徴とする請求項２に記載の建物の基礎構造。
【請求項４】
前記布基礎と前記ベタ基礎との境界方向に沿って複数の前記止水材が貼付されており、隣り合う前記止水材同士において、一方の前記止水材の端縁部と前記布基礎とが両面テープからなるジョイントテープにより貼付されていると共に、他方の前記止水材の端縁部が前記一方の止水材の端縁部と前記ジョイントテープとを覆うように貼付されていることを特徴とする請求項３に記載の建物の基礎構造。
【発明の詳細な説明】
【技術分野】
【０００１】
この発明は、建物の基礎構造、及び、建物の建築工法に関する。
【背景技術】
【０００２】
近年、地球温暖化などの環境問題の対策の一環として、建物の構造においても気密性、断熱性を向上させることで一層の省エネを促進することが望まれている。このようなことから、建物の外周壁には、断熱材が充填されるとともに断熱効果を低下させる湿気の侵入を防ぐために透湿防水シートが貼られている。また、一般的に、建築領域の外周に面する位置に設けられる浴室においては、ユニットバスの下方空間内への通気を遮断して気密化するとともに、浴室を設けるための区画を形成する布基礎の内壁に断熱材を張りめぐらせるようにしている（例えば、特許文献１、及び、特許文献２参照）。
【０００３】
【特許文献１】特開２０００−９６８５４号公報
【特許文献２】特開２００６−２６３０１６号公報
【発明の開示】
【発明が解決しようとする課題】
【０００４】
布基礎は、地面に平滑に形成されたベタ基礎上に型枠を組み、型枠内に生コンクリートを流し込み硬化して立設される。つまり、布基礎とベタ基礎とは別々に硬化されて形成されおり、布基礎とベタ基礎とは一体的に形成されておらず、隙間が生じてしまうこととなる。また、内側の型枠と外側の型枠とを一定の距離に位置決めするために、内側及び外側の型枠の下端を繋ぎとめる巾止金具が配置されることから、布基礎とベタ基礎との境目に隙間が生じてしまう。特に、巾止金具は、その強度を向上させるために、中央部分が上側に膨らむ構造となっているため、この隙間は、顕著なものとなってしまう。
浴室は建物の屋外に面した位置に作られることから、浴室の下方空間を形成する布基礎は建物の外側に面することとなり、上記隙間から雨水などの水分、湿気が浴室の下方空間に侵入する。
【０００５】
以上のようなことから、浴室の下方空間には湿気が生じることとなるといった問題があった。さらに、この湿気は、浴室の下方空間の気密性を高めたゆえ逃げ場を失い、かえって浴室の断熱性を低下させることとなるといった問題があった。
【０００６】
本発明は、上述した課題に鑑みてなされたものであり、その目的は、建物の下方の空間に湿気が侵入することを防止し、断熱性を向上させることが可能な建物の基礎構造、及び、建物の建築工法を提供することにある。
【課題を解決するための手段】
【０００７】
以上のような目的を達成するために、本発明は、以下のようなものを提供する。
（１）  建物の屋外に面した布基礎とベタ基礎との境界を覆うように止水シートが貼付されていることを特徴とする建物の基礎構造。
【０００８】
なお、本発明における止水シートとは、軟質性のフィルム状、シート状、板状などの形態を広く含むものである。
（１）の発明によれば、建物の屋外に面した布基礎とベタ基礎との境界を覆うように止水シートが貼付されている。従って、布基礎とベタ基礎との境界に隙間が生じたとしても、この隙間から建物の下方空間に水が侵入することを著しく防止することができる。その結果、建物の下方空間の湿度が上昇してしまうことを防止することができ、断熱性を向上させることが可能となる。また、布基礎とベタ基礎との境界に隙間が生じたとしても、この隙間から建物の下方空間に白アリ防止が侵入することを防止することができる。
【０００９】
さらに、本発明は、以下のようなものを提供する。
（２）  上記（１）の建物の基礎構造であって、
上記止水シートは、建物の屋外側における上記境界に設けられている。
【００１０】
（２）の発明によれば、止水シートが建物の屋外側における、布基礎とベタ基礎との境界に設けられている。従って、屋内に侵入する外側において確実に水（湿気）の侵入を防止することができる。
【００１１】
さらに、本発明は、以下のようなものを提供する。
（３）  上記（１）の建物の基礎構造であって、
上記止水シートは、建物の屋内側における上記境界に設けられている。
【００１２】
（３）の発明によれば、止水シートが建物の屋内側における、布基礎とベタ基礎との境界に設けられている。従って、境界を通って内部に侵入してきた水（湿気）の侵入を屋内側の境界において防止することができる。また、止水シートは、屋内側に設けられているため、劣化することをより防止することができる。
【００１３】
さらに、本発明は、以下のようなものを提供する。
（４）  ベタ基礎を形成するベタ基礎形成工程と、
上記ベタ基礎形成工程により形成されたベタ基礎の上に、布基礎を立設する布基礎形成工程と、
上記布基礎形成工程により形成された布基礎のうちの、少なくとも浴室を設けるための区画を囲う布基礎の屋外に面する部分の下端と該下端から延びるベタ基礎との境界を覆うように止水シートを貼着する止水シート貼着工程と
を有する建物の建築工法。
【００１４】
（４）の発明によれば、少なくとも浴室を設けるための区画を囲う布基礎の屋外に面する部分の下端と該下端から延びるベタ基礎との境界を覆うように止水シートを貼着する。従って、布基礎とベタ基礎との境界に隙間が生じたとしても、この隙間から建物の下方空間に水が侵入することを著しく防止することができる。その結果、建物の下方空間の湿度が上昇してしまうことを防止することができ、断熱性を向上させることが可能となる。また、布基礎とベタ基礎との境界に隙間が生じたとしても、この隙間から建物の下方空間に白アリ防止が侵入することを防止することができる。
【発明の効果】
【００１５】
本発明によれば、建築物の下方の空間に湿気が侵入することを防止し、断熱性を向上させることが可能な建物の基礎構造、及び、建物の建築工法を提供することができる。
【発明を実施するための最良の形態】
【００１６】
以下、本発明の実施形態について図面を用いて説明する。
勿論、本発明は、以下の実施形態に限定されるものではなく、本発明の構成を充足する範囲内で、適宜設計変更を行うことが可能である。
【００１７】
図１（ａ）は、本発明の一実施形態に係る止水シートを模式的に示す正面図であり、図１（ｂ）は、その右側面図である。
止水シート１０１は、止水材１０２と、両面テープ１０３ａと、両面テープ１０３ｂとから構成されている。図１（ａ）、図１（ｂ）に示すように、止水材１０２は、底面部１０２ａと底面部１０２ａの端から上方に延びる立ち上がり部１０２ｂとを有しており、正面視が横長の矩形、側面視がＬ字型である。底面部１０２ａには、両面テープ１０３ａが貼付されている。また、立ち上がり部１０２ｂの外側には、両面テープ１０３ｂが貼付されている。
なお、図示しないが、両面テープ１０３ａ、及び、両面テープ１０３ｂの他方の面には、剥離テープが設けられており、使用時に剥離して、粘着面を露出させることができる。
【００１８】
止水シートの材質としては、水（湿気）の透過量が著しく少ないものであれば、特に限定されず、例えば、ポリ塩化ビニル（ＰＶＣ）や各種ポリオレフィン系合成樹脂等を用いることができる。特に、本発明においては、軟質性の材料が望ましい。
また、両面テープの材質としては、特に限定されないが、例えば、ポリエステル樹脂、アクリル系樹脂、シリコン系、ブチル系のものを用いることができる。なかでも、ブチル系、アクリル系の防水性を有するものが望ましい。
また、本発明において、止水材は、Ｌ字型に射出成形した軟質性の板状体であることが望ましい。
【００１９】
図２は、本発明の一実施形態に係る建物の基礎構造を模式的に示す断面図である。
建物５００は、ベタ基礎２０１と、ベタ基礎２０１に立設された布基礎２０２とを有している。また、建物５００では、ベタ基礎２０１と布基礎２０２との境界２０５を屋内側において覆うように止水シート１０１が貼付されている。
【００２０】
布基礎２０２は、硬化したベタ基礎２０１上に後から立設されており、ベタ基礎２０１と布基礎２０２とは一体的に形成されていないため、境界２０５に隙間が生じてしまう可能性がある。しかしながら、図２に示した建物５００の基礎構造によれば、ベタ基礎２０１と布基礎２０２との境界２０５を覆うように止水シート１０１が貼付されている。従って、ベタ基礎２０１と布基礎２０２との境界２０５に隙間が生じたとしても、この隙間から建物５００の下方空間に水が侵入することを著しく防止することができる。その結果、建物５００の下方空間の湿度が上昇してしまうことを防止することができ、断熱性を向上させることが可能となる。また、ベタ基礎２０１と布基礎２０２との境界２０５に隙間が生じたとしても、この隙間から建物５００の下方空間に白アリ防止が侵入することを防止することができる。また、図２に示した建物５００の基礎構造によれば、止水シート１０１が屋内側に設けられているため、劣化（風化）することをより防止することができる。
【００２１】
次に、建物の入隅に用いられる止水シートについて説明する。
図３（ａ）は、建物の入隅に用いられる入隅用止水シートを模式的に示す正面図であり、図３（ｂ）は、その背面図であり、図３（ｃ）は、その底面図である。なお、入隅とは、２つの壁がある角度をもって出会う内方の隅をいう。
【００２２】
入隅用止水シート１２１は、止水材１２２と、両面テープ１２３ａと、両面テープ１２３ｂとから構成されている。図３（ａ）、図３（ｃ）に示すように、止水材１２２は、Ｌ字形状の底面部１２２ａと、Ｌ字の外側の辺から上方に延びる立ち上がり部１２２ｂとを有している。底面部１０２ａには、両面テープ１２３ａが貼付されている。また、立ち上がり部１２２ｂの外側には、図３（ｂ）に示すように、両面テープ１２３ｂが貼付されている。
なお、図示しないが、両面テープ１２３ａ、及び、両面テープ１２３ｂの他方の面には、剥離テープが設けられており、使用時に剥離して、粘着面を露出させることができる。
【００２３】
次に、図２を参照しながら、建物５００の建築方法について説明する。
まず、建物５００を建てるべき部位を平らにならした後、建物５００の地盤全体に鉄筋を配筋し、そこにコンクリート（セメント、砂、水を混合して流動状にしたもの）を流し込み、ベタ基礎２０１を形成する。この工程は、本発明のベタ基礎形成工程に相当する。
【００２４】
次に、形成されたベタ基礎２０１上に、金属製又は木製の型枠を組んで複数の居住部に区画し、この型枠にコンクリートを流し込むことにより、布基礎２０２を立設する。この工程は、本発明の布基礎形成工程に相当する。
【００２５】
次に、型枠を外した後、ベタ基礎２０１と布基礎２０２との境界２０５を覆うように止水シート１０１を貼付する。本実施形態では、建物５００の外周に面するすべての境界２０５を覆うように止水シート１０１を貼付する。なお、入隅部分には、入隅用止水シート１０２を貼付する。この工程は、本発明の止水シート貼付工程に相当する。
【００２６】
その後、布基礎２０２の上に基礎パッキンを介して土台を載置し、さらに、床や壁等を所定の位置に配置する。これにより、居住部が形成される。
【００２７】
上述した建築方法によれば、布基礎２０２とベタ基礎２０１との境界２０５を覆うように止水シート１０１を貼着する。従って、布基礎２０２とベタ基礎２０１との境界２０５に隙間が生じたとしても、この隙間から建物５００の下方空間に水が侵入することを著しく防止することができる。その結果、建物５００の下方空間の湿度が上昇してしまうことを防止することができ、断熱性を向上させることが可能となる。
【００２８】
ここで、止水シート貼付工程について詳細に説明する。
図４（ａ）〜図４（ｃ）は、止水シート貼付工程を説明するための図である。
まず、止水シート１０１の両面テープ１０３ａ、及び、両面テープ１０３ｂの剥離テープを剥離し、粘着面を露出させる。次に、立ち上がり部１０２ｂが建物５００の境界２０５を覆うように、止水シート１０１を配置し、両面テープ１０３ａをベタ基礎１０１に貼付するとともに、両面テープ１０３ｂを布基礎２０２に貼付する（図４（ａ）参照）。
【００２９】
次に、両面テープ１１０（以下、ジョイントテープ１１０ともいう）を止水シート１０１と布基礎２０２とを覆うように貼付する（図４（ｂ）参照）。次に、ジョイントテープ１１０の反対側の面に、次の止水シート１０１を貼付する（図４（ｃ）参照）。ジョイントテープの材質としては、特に限定されないが、例えば、ポリエステル樹脂、アクリル系樹脂、シリコン系、ブチル系のものを用いることができる。なかでも、ブチル系、アクリル系の防水性を有するものが望ましい。
【００３０】
このように、ジョイントテープ１１０を用いて、止水シート１０１を順次に貼り合わせていくことにより、隙間なく止水シート１０１を貼付することができる。また、施工を容易とすることができる。
【００３１】
図５は、本発明に係る基礎構造を有する建物の一例を示す断面透視図である。
図５に示すように、建物５００では、コンクリート製のベタ基礎２０１に立設された布基礎（布基礎２０２及び布基礎２０３）に、基礎パッキン４０を介して土台２０４が載置され、その上に、床５１０や壁（外周壁５０８や浴室壁（ドア）５０５）等が所定の位置に配置されている。これにより、建物５００には、ユニットバス５０４が配設された浴室５０２と、例えば、洗面脱衣室などの浴室以外の居住部５０１とが形成される。
なお、布基礎２０２は、屋外に面した布基礎であり、布基礎２０３は、浴室５０２の下方空間５０３と浴室以外の居住部５０１の床下５１１とを区画するための布基礎である。
【００３２】
建物５００は、浴室５０２の下方空間５０３を気密構造して省エネ化を図っている。建物５００では、下方空間５０３を囲む布基礎２０２及び布基礎２０３の内壁に断熱材５０７が設けられている。これにより、下方空間５０３の断熱性が高められている。
【００３３】
また、下方空間５０３を囲む布基礎２０２及び布基礎２０３の上に載置されている基礎パッキン４０は、通気孔が設けられた基礎パッキン本体、及び、通気孔を塞ぐ通気性を有する断熱材から構成された基礎パッキンである。通気孔を塞いでいる断熱材は、通気性を有するため、この通気孔を介して、湿度を外部に排出することができる。また、通気孔を塞いでいるのは、断熱材であるため、通気孔から、空気（下方空間５０３の空気）が外部に排出されることを著しく防止し、断熱性を向上させることができる。
【００３４】
浴室５０２の下方空間５０３を形成する布基礎２０３には、浴室５０２の下を点検するための基礎点検口１が設けられている。基礎点検口１は、枠体２０と断熱性を有する蓋体１０とから構成されており、蓋体１０を枠体２０から取り外すことにより、浴室５０２の下を点検することができる。枠体２０と蓋体１０との当接面には、パッキンが設けられており、枠体２０と蓋体１０との間に隙間が生じることを防止することができるため、蓋体１０を枠体２０に嵌合した状態での気密性を高めることができる。
【００３５】
下方空間５０３の下側に位置するベタ基礎２０１には、密閉栓付き水抜き栓３００が設けられている。水抜き栓３００は、建物５００の建築中にベタ基礎２０１に溜まる雨水を抜くためのものであり、建物５００が完成した後は、原則不要である。しかしながら、水抜き栓５００が開口したままであると、下方空間５０３の気密性が損なわれるため、密閉蓋で蓋をし、気密性を高めている。さらに、密閉蓋により、地中からの湿気や白アリの侵入を防止することを可能としている。
【００３６】
また、建物５００の屋外に面した布基礎２０２とベタ基礎２０１との境界２０５には、この境界２０５を覆うように止水シート１０１が建物５００の屋内側（浴室の下方空間内）から貼付されている。これにより、布基礎２０２とベタ基礎２０１との境界２０５に隙間が生じたとしても、この隙間から建物５００の下方空間５０３に水が侵入することを著しく防止することができる。その結果、建物５００の下方空間５０３の湿度が上昇してしまうことを防止することができ、断熱性を向上させることが可能となる。
【００３７】
上述した実施形態では、建物５００の外周に位置するすべての境界２０５を覆うように止水シート１０１を貼付する場合について説明した。しかしながら、本発明においてはこの例に限定されず、ベタ基礎と布基礎との境界のうちの少なくとも一部を覆うように止水シートが設けられていればよく、例えば、屋外に面する位置にもうけられた、浴室を設けるための区画を囲う布基礎とベタ基礎との境界のみに止水シートを設けることとしてもよい。このような構成とした場合、少なくとも浴室の断熱性を向上させることができるからである。
【００３８】
また、上述した実施形態では、建物５００の屋内側における境界２０５に止水シート１０１を設ける場合について説明したが、本発明では、建物の屋外側における境界に設けることとしてもよい。建物の屋外側における境界に止水シートを設ければ、屋内に侵入する外側において確実に水（湿気）の侵入を防止することができるからである。
図６は、本発明の他の実施形態に係る建物の基礎構造を模式的に示す断面図である。
図６に示す建物の基礎構造では、止水シート１５０が建物５００の屋外側における境界２５０に設けられている。
なお、本発明においては、止水シートを、境界の屋内側と屋外側の両方に設けることとしてもよい。
【００３９】
図７は、本発明に係る基礎構造を有する他の建物の一例を示す断面透視図である。
図７に示す建物６００は、図５に示した建物５００と比して、浴室６０２の上側には、２階部分がなく、屋根が設けられている点で異なり、他の点で略同様の構成を有している。以下、建物６００を説明する。
【００４０】
図７に示すように、建物６００では、コンクリート製のベタ基礎７０１に立設された布基礎（布基礎７０２及び布基礎７０３）に、基礎パッキン４０を介して土台７０４が載置され、その上に、床６１０、壁（外周壁６０８や浴室壁（ドア）６０５）、屋根６１２等が所定の位置に配置されている。これにより、建物６００には、ユニットバス６０４が配設された浴室６０２と、例えば、洗面脱衣質などの浴室以外の居住部６０１とが形成される。
なお、布基礎７０２は、屋外に面した布基礎であり、布基礎７０３は、浴室６０２の下方空間６０３と浴室以外の居住部６０１の床下６１１とを区画するための布基礎である。
【００４１】
下方空間６０３を囲む布基礎７０２及び布基礎７０３の内壁には、断熱材６０７が設けられている。
【００４２】
また、下方空間６０３を囲む布基礎７０２及び布基礎７０３の上に載置されている基礎パッキン４０は、通気孔が設けられた基礎パッキン本体、及び、通気孔を塞ぐ通気性を有する断熱材から構成された基礎パッキンである。
【００４３】
浴室６０２の下方空間６０３を形成する布基礎７０３には、浴室６０２の下を点検するための基礎点検口１が設けられている。基礎点検口１は、枠体２０と断熱性を有する蓋体１０とから構成されている。
【００４４】
下方空間６０３の下側に位置するベタ基礎７０１には、密閉栓付き水抜き栓３００が設けられている。
また、建物６００の屋外に面した布基礎７０２とベタ基礎７０１との境界７０５には、この境界７０５を覆うように止水シート１０１が建物６００の屋内側から貼付されている。
【００４５】
以上、本発明に係る建物の基礎構造、及び、建物の建築方法の実施形態について説明したが、本発明の基礎パッキン、及び、床下点検口は、上述した例に限定されるものではなく、本発明の構成を充足する範囲内で、適宜設計変更を行うことが可能である。
【図面の簡単な説明】
【００４６】
【図１】（ａ）は、本発明の一実施形態に係る止水シートを模式的に示す正面図であり、（ｂ）は、その右側面図である。
【図２】本発明の一実施形態に係る建物の基礎構造を模式的に示す断面図である。
【図３】（ａ）は、建物の入隅に用いられる入隅用止水シートを模式的に示す正面図であり、（ｂ）は、その背面図であり、（ｃ）は、その底面図である。
【図４】（ａ）〜（ｃ）は、止水シートの貼付工程を説明するための図である。
【図５】本発明に係る基礎構造を有する建物の一例を示す断面透視図である。
【図６】本発明の他の実施形態に係る建物の基礎構造を模式的に示す断面図である。
【図７】本発明に係る基礎構造を有する他の建物の一例を示す断面透視図である。
【符号の説明】
【００４７】
１０１  止水シート
１０２  止水材
１０２ａ  底面部
１０２ｂ  立ち上がり部
１０３（１０３ａ、１０３ｂ）  両面テープ
１１０  ジョイントテープ
１２１  入隅用止水シート
１２２  止水材
１２２ａ  底面部
１２２ｂ  立ち上がり部
１２３（１２３ａ、１２３ｂ）  両面テープ
１５０  止水シート
２０１、７０１  ベタ基礎
２０２、２０３、７０２、７０３  布基礎
２０４、７０４  土台
２０５  境界
５００、６００  建物
５０２、６０２  浴室
【図１】
0005436789.tif 000002
【図２】
0005436789.tif 000003
【図３】
0005436789.tif 000004
【図４】
0005436789.tif 000005
【図５】
0005436789.tif 000006
【図６】
0005436789.tif 000007
【図７】
0005436789.tif 000008